(57)【要約】      （修正有）【課題】収納性及び運搬性を維持しつつ天幕の展開面積を大きくすることが可能で、かつ、天候等に応じて屋根の傾斜角度を調整することが可能な折り畳み式テントを提供する。【解決手段】天幕を展張して支持可能な屋根フレーム３０と、屋根フレーム３０を支持する少なくとも３本の支柱１０と、隣接する支柱１０同士を連結する横方向フレーム２０とを備え、各支柱１０は、長尺状に形成された支柱本体１２と、支柱本体１２の上端部に取り付けられ、屋根フレーム３０を支持する支持部材１４とを備え、屋根フレーム３０は、その先端部が少なくとも３本の支柱１０によって囲まれた領域の外側に延出するよう、支持部材１４に支持されており、支持部材１４は、屋根フレーム３０に対する支持位置を屋根フレーム３０の軸方向に沿って調整可能に構成されている。【選択図】図１
0003204835.tif 000002
【実用新案登録請求の範囲】
【請求項１】
天幕を展張して支持可能な屋根フレームと、
前記屋根フレームを支持する少なくとも３本の支柱と、
隣接する前記支柱同士を連結する横方向フレームと
を備え、
前記各支柱は、長尺状に形成された支柱本体と、前記支柱本体の上端部に取り付けられ、前記屋根フレームを支持する支持部材とを備え、
前記屋根フレームは、その先端部が前記少なくとも３本の支柱によって囲まれた領域の外側に延出するよう、前記支持部材に支持されており、
前記支持部材は、前記屋根フレームに対する支持位置を該屋根フレームの軸方向に沿って調整可能に構成されている
ことを特徴とする折り畳み式テント。
【請求項２】
前記屋根フレームは、上方に向けて凸となるアーチ状に湾曲可能な可撓性を少なくとも一部に有し、かつ、少なくとも前記支持部材によって支持される領域が棒状に形成され、
前記支柱本体は、少なくとも上端部が筒状に形成され、
前記支持部材は、前記支柱本体の筒状の上端部に挿入される挿入部と、前記挿入部の上端部に設けられ、前記屋根フレームの棒状部位を嵌入可能な貫通孔を有する支持部とを備える
ことを特徴とする請求項１に記載の折り畳み式テント。
【請求項３】
前記支柱は、平面四方形の四隅に位置するよう４本設けられ、
前記屋根フレームは、対角線上に位置する前記支柱同士を連結するよう設けられ、
前記支持部材の前記支持部は、対角線上に位置する他の支柱に向けて前記貫通孔が形成された筒状に形成され、該支持部の周面に軸方向の一端から他端に亘って前記屋根フレームの棒状部位を前記貫通孔に向けて挿入可能な切り欠きが形成されている
ことを特徴とする請求項２に記載の折り畳み式テント。
【考案の詳細な説明】
【技術分野】
【０００１】
本考案は、可撓性を有する屋根構造を備えた折り畳み式テントに関するものである。
【背景技術】
【０００２】
従来、図５に示すように、四隅に立設される４本の支柱１０２と、周方向に隣接する支柱１０２同士を連結する伸縮可能な横方向トラスフレーム１０４と、対角線上に位置する支柱１０２同士を連結する屋根フレーム１０６と、横方向トラスフレーム１０４及び屋根フレーム１０６を覆うよう張設される天幕（図示せず）とを備える折り畳み式テント１００が知られている（特許文献１）。
【０００３】
特許文献１の折り畳み式テント１００において、屋根フレーム１０６は、一端が各支柱１０２の上端に固着され、他端が折り畳み式テント１００の平面視での中心位置において互いに連結された４本のポール部材１０６ａから構成されており、これらポール部材１０６ａが上方に向けて凸となるようアーチ状に連結されることにより、ドーム型の屋根構造を形成するよう構成されている。この屋根フレーム１０６は、各ポール部材１０６ａが可撓性を有する棒状の弾性部材から形成されることにより、風圧を受けた際に変形して該風圧を分散させることが可能に構成されている。
【先行技術文献】
【特許文献】
【０００４】
【特許文献１】特表平１０−５０３２４９号公報
【考案の概要】
【考案が解決しようとする課題】
【０００５】
ここで、従来の折り畳み式テント１００は、４本の支柱１０２によって囲まれた領域の上部のみを天幕によって覆うものであるため、天幕の展開面積を大きくするためには、４本の支柱１０２によって囲まれた領域の面積を大きくさせる必要がある。しかしながら、各支柱１０２間の距離を大きくさせるために横方向トラスフレーム１０４及び屋根フレーム１０６の長さを長く設計すると、折り畳み時の高さ寸法が大きくなるため収納性が悪化し、また、全体の重量が増えるため運搬性が悪化するという問題がある。
【０００６】
また、従来の折り畳み式テント１００は、風の影響を抑えるために屋根の傾斜が比較的緩やかに形成されている。このため、従来の折り畳み式テント１００では、雨や雪が屋根上に留まり易く、屋根上の水溜りや積雪によって屋根フレーム１０６が撓み、倒壊するおそれがあるという問題がある。さらに、雨や雪が屋根上に留まりにくくするために屋根の傾斜角度を大きくすると、風の影響を受けやすくなるため、依然として、倒壊のおそれがあるという問題がある。
【０００７】
そこで、本考案は、収納性及び運搬性を維持しつつ天幕の展開面積を大きくすることが可能で、かつ、天候等に応じて屋根の傾斜角度を調整することが可能な折り畳み式テントを提供することを目的とする。
【課題を解決するための手段】
【０００８】
以上の目的を達成するため、本考案に係る折り畳み式テントは、天幕を展張して支持可能な屋根フレームと、前記屋根フレームを支持する少なくとも３本の支柱と、隣接する前記支柱同士を連結する横方向フレームとを備え、前記各支柱は、長尺状に形成された支柱本体と、前記支柱本体の上端部に取り付けられ、前記屋根フレームを支持する支持部材とを備え、前記屋根フレームは、その先端部が前記少なくとも３本の支柱によって囲まれた領域の外側に延出するよう、前記支持部材に支持されており、前記支持部材は、前記屋根フレームに対する支持位置を該屋根フレームの軸方向に沿って調整可能に構成されていることを特徴とする。
【０００９】
本考案に係る折り畳み式テントにおいて、前記屋根フレームは、上方に向けて凸となるアーチ状に湾曲可能な可撓性を少なくとも一部に有し、かつ、少なくとも前記支持部材によって支持される領域が棒状に形成され、前記支柱本体は、少なくとも上端部が筒状に形成され、前記支持部材は、前記支柱本体の筒状の上端部に挿入される挿入部と、前記挿入部の上端部に設けられ、前記屋根フレームの棒状部位を嵌入可能な貫通孔を有する支持部とを備えることが好ましい。
【００１０】
また、本考案に係る折り畳み式テントにおいて、前記支柱は、平面四方形の四隅に位置するよう４本設けられ、前記屋根フレームは、対角線上に位置する前記支柱同士を連結するよう設けられ、前記支持部材の前記支持部は、対角線上に位置する他の支柱に向けて前記貫通孔が形成された筒状に形成され、該支持部の周面に軸方向の一端から他端に亘って前記屋根フレームの棒状部位を前記貫通孔に向けて挿入可能な切り欠きが形成されることが好ましい。
【考案の効果】
【００１１】
本考案によれば、収納性及び運搬性を維持しつつ天幕の展開面積を大きくすることが可能で、かつ、天候等に応じて屋根の傾斜角度を調整することが可能な折り畳み式テントを提供することができる。
【図面の簡単な説明】
【００１２】
【図１】本考案の一実施形態に係る折り畳み式テントを概略的に示す斜視図である。
【図２】支柱本体と支持部材とを分離させた状態における支柱の上端部近傍を拡大して示す部分拡大図である。
【図３】図３（ａ）は、通常時の使用状態を示す平面図であり、図３（ｂ）は、図３（ａ）の状態の折り畳み式テントの正面図である。
【図４】図４（ａ）は、屋根の傾斜角度を通常時よりも大きくした状態の一例を示す平面図であり、図４（ｂ）は、図４（ａ）の状態の折り畳み式テントの正面図である。
【図５】従来の折り畳み式テントを概略的に示す斜視図である。
【考案を実施するための形態】
【００１３】
以下、本考案を実施するための好適な実施形態について、図面を用いて説明する。なお、以下の実施形態は、各請求項に係る考案を限定するものではなく、また、実施形態の中で説明されている特徴の組み合わせの全てが考案の解決手段に必須であるとは限らない。
【００１４】
本実施形態に係る折り畳み式テント１は、図１に示すように、天幕２（図３及び図４参照）を展張して支持可能な屋根フレーム（ルーフポール）３０と、屋根フレーム３０を支持する複数の支柱（レッグフレーム）１０と、隣接する支柱１０同士を連結する横方向フレーム（サイドフレーム）２０とを備えている。
【００１５】
支柱１０は、図１に示すように、平面四方形の四隅に位置するよう４本設けられている。支柱１０は、長尺状に形成された支柱本体１２と、支柱本体１２の上端部に取り付けられ、屋根フレーム３０を支持する支持部材１４とを備えている。
【００１６】
支柱本体１２は、図１に示すように、長尺な筒状に形成された外側パイプ部材１２ａと、外側パイプ部材１２ａ内に入れ子状に収容され、外側パイプ部材１２ａの軸方向に沿って摺動可能な内側パイプ部材１２ｂと、外側パイプ部材１２ａの軸方向の所定又は任意の位置において外側パイプ部材１２ａに対して内側パイプ部材１２ｂを固定する固定部材１２ｃとを備えている。外側パイプ部材１２ａの上端部は、支持部材１４の後述する挿入部１４ａを挿入可能な、好ましくは嵌入可能な筒状に形成されている。外側パイプ部材１２ａの上端部近傍には、支持部材１４に設けられた後述する突起部が挿入可能な孔（図示せず）が形成されており、該孔に支持部材１４の突起部が挿入されることにより、支柱本体１２に対する支持部材１４の抜け止めを実現するよう構成されている。固定部材１２ｃは、少なくとも、外側パイプ部材１２ａから内側パイプ部材１２ｂが略完全に露出した伸長状態と、外側パイプ部材１２ａ内に内側パイプ部材１２ｂが略完全に収納された収納状態とにおいて内側パイプ部材１２ｂを固定し、外側パイプ部材１２ａに対する内側パイプ部材１２ｂの相対移動を規制するよう構成されている。
【００１７】
支柱本体１２には、図２に示すように、その上端部に、横方向フレーム２０の長手方向の一方の上側端部２０ａが回動自在に軸支された固定ブラケット１３ａが固着されており、この固定ブラケット１３ａよりも下方側に、横方向フレーム２０の長手方向の一方の下側端部２０ｂが回動自在に軸支された可動ブラケット１３ｂが摺動可能に取り付けられている。
【００１８】
支持部材１４は、図２に示すように、支柱本体１２の外側パイプ部材１２ａの上端部に挿入される挿入部１４ａと、挿入部１４ａの上端部に設けられ、屋根フレーム３０を支持する支持部１４ｂとを有している。挿入部１４ａは、外側パイプ部材１２ａの上端部に挿入可能な、好ましくは嵌入可能な断面正方形の角柱又は角筒形状を有している。挿入部１４ａは、挿入部１４ａの一の側壁を貫通して挿入部１４ａの内部から外部に向けて延びる突起部（図示せず）を有している。突起部は、挿入部１４ａの内部に設けられた板ばね（図示せず）等の付勢手段により外部に向けて付勢されており、外側パイプ部材１２ａの上端部に挿入される際に挿入部１４ａの内部に後退し、外側パイプ部材１２ａの孔に到達した際に外側に突出して該孔に係止するよう構成されている。
【００１９】
支持部１４ｂは、図２に示すように、屋根フレーム３０の棒状部位を嵌入可能な貫通孔１５ａを有する筒状に形成され、その周面に、軸方向の一端から他端に亘って屋根フレーム３０の棒状部位を貫通孔１５ａに向けて挿入可能な切り欠き１５ｂが形成されている。これにより、支持部材１４は、屋根フレーム３０に対する支持位置を該屋根フレーム３０の軸方向に沿って調整可能に構成されている。支持部１４ｂは、断面正方形の支持部材１４の対角線に沿って貫通孔１５ａが延在するよう、挿入部１４ａの上端部に設けられている。
【００２０】
支持部材１４は、図１に示すように、支持部１４ｂの貫通孔１５ａが対角線上に位置する他の支柱１０に向かうよう、挿入部１４ａが外側パイプ部材１２ａの上端部に挿入されることにより、支柱本体１２に取り付けられる。本実施形態に係る支持部材１４では、挿入部１４ａが断面正方形状に形成されると共に、その対角線に貫通孔１５ａが沿うよう支持部１４ｂが設けられることにより、１種類の支持部材１４を４つ用意し、４本の支柱本体１２に１つずつ、貫通孔１５ａの向きを変えて支持部材１４を取り付けるだけで良いという利点を有する。
【００２１】
各横方向フレーム２０は、図１に示すように、２本の棒状フレーム２１ａ，２１ｂを交差させ、その交差部を軸によって回動自在に連結することで形成されたＸ字状のフレーム体２１を長手方向に複数（本実施形態では３つ）連結させ、これにより全体としてパンタグラフのように伸縮可能に構成された所謂トラスフレームである。
【００２２】
屋根フレーム３０は、図１及び図３に示すように、上方に向けて凸となるアーチ状に湾曲可能な可撓性を有する２本の弾性ポール部材３２から構成されている。各弾性ポール部材３２は、上方に向けて凸となるアーチ状に湾曲し、その中途部が対角線上に位置する２つの支柱１０にそれぞれ支持された状態において、両先端部が４本の支柱１０によって囲まれた領域の外側に延出するような軸方向の長さを有している。より好適には、各弾性ポール部材３２は、対角線上に位置する２つの支柱１０間の距離の１．５倍〜２倍程度の軸方向の長さを有する。各弾性ポール部材３２は、合成樹脂製の複数のセグメント（図示せず）を軸方向に沿って連結することにより１本の棒状部材を形成するよう構成されている。これら複数のセグメントは、折り畳み時の収容性の観点から、支柱本体１２の外側パイプ部材１２ａの軸方向の長さと略同じ又はこれよりも短い軸方向の長さを有することが好ましい。
【００２３】
天幕２は、図３（ａ）に示すように、屋根フレーム３０の外縁と略同形同大に形成されたシート材であり、その裏面の四隅に、各弾性ポール部材３２の先端部を挿入可能なポケット状の収容部（図示せず）が形成されている。また、天幕２の天頂部には、通気口（図示せず）が形成されている。この天幕２は、図３（ｂ）に示すように、四隅のポケット状の収容部にそれぞれ弾性ポール部材３２の先端部を挿入することにより、屋根フレーム３０の上部全域を覆うよう、展張状態で屋根フレーム３０に取り付けられる。
【００２４】
本実施形態に係る折り畳み式テント１は、内側パイプ部材１２ｂを外側パイプ部材１２ａ内に略完全に収納させると共に横方向フレーム２０を略完全に収縮させ、かつ、各弾性ポール部材３２をセグメント単位で分割又は折り畳むことにより、小型化させて持ち運ぶことが可能に構成されている。また、本実施形態に係る折り畳み式テント１は、横方向フレーム２０を伸長させると共に各セグメントを連結させて各弾性ポール部材３２を形成し、その後、各支柱本体１２に取り付けられる支持部材１４に各弾性ポール部材３２を取り付けると共にこれら弾性ポール部材３２に天幕２を取り付け、その後、内側パイプ部材１２ｂを外側パイプ部材１２ａから略完全に露出させて支柱本体１２を伸長させることにより、設置箇所において展開することが可能に構成されている。
【００２５】
以上のとおり、本実施形態に係る折り畳み式テント１は、天幕２を展張して支持可能な屋根フレーム３０と、屋根フレーム３０を支持する４本の支柱１０と、隣接する支柱１０同士を連結する横方向フレーム２０とを備え、各支柱１０は、長尺状に形成された支柱本体１２と、支柱本体１２の上端部に取り付けられ、屋根フレーム３０を支持する支持部材１４とを備え、屋根フレーム３０は、その先端部が４本の支柱１０によって囲まれた領域の外側に延出するよう、支持部材１４に支持されており、支持部材１４は、屋根フレーム３０に対する支持位置を屋根フレーム３０の軸方向に沿って調整可能に構成されている。
【００２６】
このように、本実施形態に係る折り畳み式テント１は、屋根フレーム３０の先端部が４本の支柱１０によって囲まれた領域の外側に延出するよう構成されることにより、図３（ａ）及び図３（ｂ）に示すように、４本の支柱１０によって囲まれた領域よりも天幕２の展開面積を大きくすることが可能となる。また、本実施形態に係る折り畳み式テント１は、重量の重い金属製の支柱１０及び横方向フレーム２０を大きくすることなく、重量の軽い屋根フレーム３０及び天幕２の大きさを調整するのみで天幕２の展開面積を大きくすることが可能となるため、収納性及び運搬性に優れるという利点を有する。さらに、本実施形態に係る折り畳み式テント１は、屋根フレーム３０を支持した支持部材１４を支柱本体１２に対して脱着させるのみで屋根フレーム３０を装脱させることが可能であるため、簡単かつ迅速に組み立て及び解体を行うことが可能となる。
【００２７】
また、本実施形態に係る折り畳み式テント１では、支持部材１４による屋根フレーム３０の支持位置を屋根フレーム３０の軸方向に沿って調整することが可能に構成されているため、天候等に応じて屋根の傾斜角度を調整することが可能となる。具体的には、屋根フレーム３０が、上方に向けて凸となるアーチ状に湾曲可能な可撓性を少なくとも一部に有し、支持部材１４によって支持される領域が棒状に形成され、支持部材１４が、屋根フレーム３０の棒状部位を嵌入可能な貫通孔１５ａを有している。このため、本実施形態に係る折り畳み式テント１では、例えば雨天時や降雪時には、図４（ａ）及び図４（ｂ）に示すように、屋根フレーム３０の外側への突出量が小さくなるよう支持位置を調整し、屋根フレーム３０の上方への湾曲度合いを強くして屋根の傾斜角度を大きくする（傾斜を急にする）ことにより、天幕２上に水溜りや積雪を生じにくくさせることが可能となる。また、例えば日差しが強い場合やテント内の収容人数が多い場合等には、屋根フレーム３０の外側への突出量が大きくなるよう支持位置を調整し、屋根フレーム３０を平坦に近づける（屋根の傾斜角度を小さくする）ことにより、天幕２の展開面積をより広くすることが可能となる。
【００２８】
以上、本考案の好適な実施形態について説明したが、本考案の技術的範囲は、上述した実施形態に記載の範囲には限定されない。上記各実施形態には、多様な変更又は改良を加えることが可能である。
【００２９】
例えば、上述した実施形態では、支柱１０が４本設けられ、これら４本の支柱１０によって平面四方形状の収容空間が形成されるものとして説明したが、これに限定されず、３本の支柱１０によって平面三角形状の収容空間が形成されるとしても良いし、５本以上の支柱１０によって平面五角形以上の形状の収容空間が形成されるとしても良い。
【００３０】
上述した実施形態では、支持部材１４の挿入部１４ａが支柱本体１２の上端部に挿入されるものとして説明したが、これに限定されず、支柱本体１２の上端部に取り付け可能な構成であれば、いかなる構成であっても良い。
【００３１】
上述した実施形態では、屋根フレーム３０が棒状に形成され、支持部材１４の支持部１４ｂが屋根フレーム３０の棒状部位を側面方向から挿入して支持可能な切り欠き１５ｂ及び貫通孔１５ａを有する筒状に形成されるものとして説明したが、これに限定されず、屋根フレーム３０の先端部が複数の支柱１０によって囲まれた領域の外側に延出した状態で屋根フレーム３０を支持可能な構成であれば、いかなる構成であっても良い。
【００３２】
上述した実施形態では、横方向フレーム２０がパンタグラフのように伸縮自在なトラスフレームであるものとして説明したが、これに限定されず、折り畳み式テント１を折り畳むことが可能な構成であれば、種々のフレーム構造を採用することが可能である。
【００３３】
上述した実施形態では、屋根フレーム３０が弾性ポール部材３２によって構成され、その全体が上方に向けて凸となるアーチ状に湾曲可能な可撓性を有するものとして説明したが、これに限定されず、可撓性を有さない構成としても良いし、局所的に可撓性を有する構成としても良い。
【符号の説明】
【００３４】
１  折り畳み式テント、２  天幕、１０  支柱、１２  支柱本体、１２ａ  外側パイプ部材、１２ｂ  内側パイプ部材、１２ｃ  固定部材、１３ａ  固定ブラケット、１３ｂ  可動ブラケット、１４  支持部材、１４ａ  挿入部、１４ｂ  支持部、１５ａ  貫通孔、１５ｂ  切り欠き、２０  横方向フレーム、２０ａ  上側端部、２０ｂ  下側端部、２１  フレーム体、２１ａ，２１ｂ  棒状フレーム、３０  屋根フレーム、３２  弾性ポール部材
【図１】
0003204835.tif 000003
【図２】
0003204835.tif 000004
【図３】
0003204835.tif 000005
【図４】
0003204835.tif 000006
【図５】
0003204835.tif 000007